【手続補正書】
【提出日】平成16年6月7日(2004.6.7)
【手続補正１】
【補正対象書類名】明細書
【補正対象項目名】０００４
【補正方法】変更
【補正の内容】
【０００４】
【発明が解決しようとする課題】
しかしながら、上記測光方式では、被写界において主被写体がカメラに対し最も近距離にあることが前提となっており、この前提に合致しない場合も少なからず発生する。例えば、人物を撮影しようとした場合、人物の顔を最も最適な露出にするため、撮影画面上の人物の顔の位置に対応する測光領域を、測光演算の最も重み付けが高くなるように設定したいにもかかわらず、人物の体の一部がたまたま顔よりもカメラに近いという状況になっていると、カメラに最も近い体の一部に対応した焦点検出領域の選択がなされると同時に、この焦点検出領域に対応する測光領域が最大重み付け領域として決定される。そしてこれにより、人物の顔とは異なる位置、例えば人物の着ている服を重視した測光が行われてしまい、服の色や反射率に左右されて人物の顔に対し適正な露出制御が得られない可能性がある。
【手続補正２】
【補正対象書類名】明細書
【補正対象項目名】０００９
【補正方法】変更
【補正の内容】
【０００９】
【発明の実施の形態】
（第１実施形態）
図１〜図３には、本発明の第１実施形態である一眼レフカメラを示している。図１において、１は撮影レンズである。なお、図には２枚のレンズ１ａ，１ｂのみを示したが、実際はさらに多数のレンズを有している。２は主ミラーで、ファインダ系観察状態と撮影状態とに応じて撮影光路に対し斜設されたり退避されたりする。３はサブミラーで、主ミラー２を透過した光束をカメラボディの下方へ
向けて反射する。
【手続補正３】
【補正対象書類名】明細書
【補正対象項目名】００１６
【補正方法】変更
【補正の内容】
【００１６】
２１は明るい被写体の中でも視認できる高輝度ＬＥＤ（以下、ＳＩ−ＬＥＤと記す）で、中心波長６８０ナノメータの赤色光を発光する。さらに、２２は前記５個の焦点検出領域Ｆ０〜Ｆ４の位置をパターン化したＬＣＤ（以下、ＳＩ−ＬＣＤと記す）であり、後述する焦点検出領域選択がなされた位置に相当するＬＣＤのパターンのみを透過状態とする。ＬＣＤ後方のＬＥＤ２１から発せられた光は、ＳＩ−ＬＣＤ２２の前記透過パターンのみを通過し、投光レンズ２３、ダイクロイックミラ−２４を介し接眼レンズ１１を通って撮影者の眼球に到達する。これにより、撮影者はファインダー画面上で焦点検出領域表示パターンを目視することができる。つまり、図３に示したファインダ視野図から分かるように、焦点検出領域Ｆ０〜Ｆ４に対応するパターンの少なくとも１つがファインダ視野内で光り、選択がなされた焦点検出領域を表示させることができる。
【手続補正４】
【補正対象書類名】明細書
【補正対象項目名】００２１
【補正方法】変更
【補正の内容】
【００２１】
図２には、本実施形態のカメラの電気的構成を示している。１００はカメラ本体に内蔵されたマイクロコンピュータの中央処理装置（以下、ＣＰＵと記す）であり、このＣＰＵ１００には、測光回路１０２、自動焦点検出回路１０３、信号入力回路１０４、ＬＣＤ駆動回路１０５、ＬＥＤ駆動回路１０６、シャッタ制御回路１０８およびモータ制御回路１０９が接続されている。また、ＣＰＵ１００は、撮影レンズ１内に配置された焦点調節回路１１０、絞り駆動回路１１１とは図１で示したマウント接点３７を介して信号の伝達を行う。
【手続補正５】
【補正対象書類名】明細書
【補正対象項目名】００２５
【補正方法】変更
【補正の内容】
【００２５】
ＳＷ１（１２）はレリーズボタンの第１ストロークでＯＮし、測光、ＡＦ、視線検出動作を開始させる測光スイッチであり、ＳＷ２（１３）はレリーズボタンの第２ストロークでＯＮするレリーズスイッチである。ＳＷ−ＤＩＡＬ１とＳＷ−ＤＩＡＬ２（１５）は、不図示の電子ダイヤル内に設けられたダイヤルスイッチで、このスイッチからの信号は信号入力回路１０４のアップダウンカウンターに入力され、アップダウンカウンターは電子ダイヤルの回転クリック量をカウントする。また、ＳＷ−ＡＦ（１４）は、焦点検出領域選択モードがカメラまかせの自動選択か、撮影者が手動で選択するかを切り換える焦点検出領域選択スイッチである。そして、これらスイッチの信号は信号入力回路１０４に入力された後、データバスによってＣＰＵ１００に送信される。
【手続補正６】
【補正対象書類名】明細書
【補正対象項目名】００２６
【補正方法】変更
【補正の内容】
【００２６】
１０５は液晶表示素子ＬＣＤを表示駆動させるための公知のＬＣＤ駆動回路で、ＣＰＵ１００からの信号に従って絞り値、シャッタ秒時、設定した撮影モード等の表示を外部モニタ用ＬＣＤ２５ａとＦ−ＬＣＤ２５とスーパーインポーズ用のＳＩ−ＬＣＤ２２とを同時に制御し、情報を表示させる。ＬＥＤ駆動回路１０６は、Ｆ−ＬＥＤ２６とＳＩ−ＬＥＤ２１を点灯・点滅制御する。
【手続補正７】
【補正対象書類名】明細書
【補正対象項目名】００３１
【補正方法】変更
【補正の内容】
【００３１】
次に焦点検出を行うために、焦点検出領域選択スイッチ（ＳＷ−ＡＦ）１４が自動モードになっているか手動モードになっているかの設定確認を行う（ステップ＃１０４）。ここで焦点検出領域選択が自動モードに設定されていたならば、前記５個の焦点検出領域Ｆ０〜Ｆ４におけるデフォーカス量ＤＥＦ０〜ＤＥＦ４を基に、焦点検出領域自動選択サブルーチン（ステップ＃１０５）によって特定の焦点検出領域を選択する。
【手続補正８】
【補正対象書類名】明細書
【補正対象項目名】００３２
【補正方法】変更
【補正の内容】
【００３２】
焦点検出領域自動選択におけるサブルーチンのアルゴリズムとしてはいくつかの方法が考えられるが、多点ＡＦカメラでは公知となっている中央焦点検出領域に重み付けを置いた近点優先アルゴリズムが有効である。なお、焦点検出領域選択スイッチ１４をＯＮすることにより焦点検出領域選択手動モードに入る。このモードでは、撮影者がスイッチダイヤル（ＳＷ−ＤＩＡＬ１、２）１５の操作を通じて５個の焦点検出領域はＦ０〜Ｆ４のうちの１個を選択する任意選択が可能である（ステップ＃１０６）。
【手続補正９】
【補正対象書類名】明細書
【補正対象項目名】００３３
【補正方法】変更
【補正の内容】
【００３３】
こうして自動又は手動により焦点検出領域（特定焦点検出領域の１つ）が確定すると（ステップ＃１０７）、次に確定した焦点検出領域において自動焦点検出回路１０３に焦点検出演算を行わせ、この領域で焦点検出可能であるか否かを判定する（ステップ＃１０８）。焦点検出不可能であれば、ＣＰＵ１００はＬＣＤ駆動回路１０５に信号を送ってＦ−ＬＣＤ２５の合焦マーク３０を点滅させ、焦点検出が不可能であることを撮影者に警告する。一方、焦点検出可能であり、所定のアルゴリズムで選択された焦点検出領域の焦点検出状態（デフォーカス量）が合焦状態でなければ、ＣＰＵ１００は焦点調節回路１１０に信号を送って所定量撮影レンズ１を駆動させる（ステップ＃１０９）。
【手続補正１０】
【補正対象書類名】明細書
【補正対象項目名】００３４
【補正方法】変更
【補正の内容】
【００３４】
レンズ駆動後、再度焦点検出領域のデフォーカス量を測定し、所定の合焦幅内にピントずれが収まっているか否かで撮影レンズ１が合焦しているか否かの判定を行う（ステップ＃１１０）。確定した焦点検出領域において撮影レンズ１が合焦していたならば、ＣＰＵ１００はＬＣＤ駆動回路１０５に信号を送ってＦ−ＬＣＤ２５の合焦マーク３０を点灯させるとともに、ＬＥＤ駆動回路１０６にも信号を送って合焦している焦点検出領域に対応したＳＩ−ＬＥＤ２１を点灯させ、この焦点検出領域に対応するセグメントを光らせることで合焦表示させる。また、同時にＣＰＵ１００は測光回路１０２に信号を送信して測光を行なわせる（ステップ＃１１１）。このとき、主被写体位置（合焦した焦点検出領域）に対応した測光領域に重み付けを置いた測光演算を行うが、測光演算の詳細は後述する。そして、演算結果をセグメントと小数点を用いて撮影レンズ絞り値（例えば、Ｆ５．６）２９を表示する。
【手続補正１１】
【補正対象書類名】明細書
【補正対象項目名】００３６
【補正方法】変更
【補正の内容】
【００３６】
スイッチＳＷ２がＯＮされたときは、ＣＰＵ１００はシャッタ制御回路１０８、モータ制御回路１０９および絞り駆動回路１１１にそれぞれ信号を送信する。シャッタ制御回路１０８はモータＭ２に通電して主ミラー２をアップ（退避）させ、絞り駆動回路１１１により絞り３１が絞り込まれた後、マグネットＭＧ−１に通電してシャッタ４の先幕を開放する。絞り３１の絞り値およびシャッタ４のシャッタスピードは、測光回路１０２にて検知された測光値とフィルム５の感度とから決定される。
【手続補正１２】
【補正対象書類名】明細書
【補正対象項目名】００３７
【補正方法】変更
【補正の内容】
【００３７】
そして、所定のシャッター秒時（１／１２５秒）経過後、シャッタ制御回路１０８はマグネットＭＧ−２に通電し、シャッタ４の後幕を閉じる。こうしてフィルム５への露光が終了すると、シャッタ制御回路１０８はマグネットＭＧ−２に再度通電し、ミラーダウン、シャッターチャージを行なうとともにモータ制御回路１０９がモータＭ１に通電し、フィルムのコマ送りを行ない、一連のシャッターレリーズシーケンスの動作を終了する（ステップ＃１１４）。
【手続補正１３】
【補正対象書類名】明細書
【補正対象項目名】００４０
【補正方法】変更
【補正の内容】
【００４０】
図６において、まず主被写体の身体の一部に相当する焦点検出領域Ｆ１がカメラの近点優先の焦点検出領域自動選択によって決定し、カメラの撮影レンズ１の焦点調節動作はこの焦点検出領域Ｆ１に対して行われ、前述したステップ＃１１０にて合焦状態に至る。このとき、以下の測光演算動作を行う。
【手続補正１４】
【補正対象書類名】明細書
【補正対象項目名】００５８
【補正方法】変更
【補正の内容】
【００５８】
以上のことより、主被写体を重視した測光値（露出値）Ｅを以下の式で得ることができる。
【手続補正１５】
【補正対象書類名】図面
【補正対象項目名】図１
【補正方法】変更
【補正の内容】
【図１】
1999023951.tif 000001
【手続補正１６】
【補正対象書類名】図面
【補正対象項目名】図２
【補正方法】変更
【補正の内容】
【図２】
1999023951.tif 000002
【手続補正１７】
【補正対象書類名】図面
【補正対象項目名】図４
【補正方法】変更
【補正の内容】
【図４】
1999023951.tif 000003
【手続補正１８】
【補正対象書類名】図面
【補正対象項目名】図５
【補正方法】変更
【補正の内容】
【図５】
1999023951.tif 000004